(57)【特許請求の範囲】
【請求項１】
羽根車と電動機を内包する箱体の高圧空気発生部と、
この高圧空気発生部で発生した高圧空気を吹出して一方へ気流を発生するスリットノズルを有する複数の吹出し部と、
前記吹出し部と前記高圧空気発生部の通風路としての接続部を備えた送風装置であって、任意の軸と、これに垂直な平面上に、それぞれの吹出し部のスリットノズルが前記軸との間に空間を設けて囲むように環状に間隔を空けて配置され、スリットノズル吹出し方向が前記軸に対して外向きであることを特徴とする送風装置。
【請求項２】
スリットノズルが、軸に対して半径方向に平行に並ぶ２列のスリットノズルであることを特徴とした請求項１記載の送風装置。
【請求項３】
羽根車と電動機を内包する箱体の高圧空気発生部と、
この高圧空気発生部で発生した高圧空気を吹出して一方へ気流を発生する環状スリットノズルを有する複数の吹出し部と、
前記吹出し部と前記高圧空気発生部の通風路としての接続部を備えた送風装置であって、任意の軸と、これに垂直な平面上に、それぞれの吹出し部の環状スリットノズルが前記軸との間に空間を設けて囲むように環状に間隔を空けて配置され、環状スリットノズル吹出し方向が前記軸に対して外向きであることを特徴とする送風装置。
【請求項４】
スリットノズルを環状に配置した環内に高圧空気発生部を備え、前記高圧空気発生部を中心として放射状に接続部を備えた請求項１から３のいずれかに記載の送風装置。
【発明の詳細な説明】
【技術分野】
【０００１】
本発明は、居室内の天井や壁に設置され、直接風による体感温度の減少や室内の空気の循環に使用される扇風機や天井扇などの涼風機に関するものである。
【背景技術】
【０００２】
従来、この種の涼風機は、羽根車とモータを台座となる基部に内包して、基部上部に備えられた円環形状の送風部から床面と水平方向に吹出すようにて空気の循環及び空気の流れを生じさせる家庭用送風機が知られている。（例えば、特許文献１参照）。
【０００３】
以下、その送風機について図１０および図１１を参照しながら説明する。
【０００４】
図１０は、送風機組立体１００をその正面から見た投影図を、図１１は、送風機組立体１００の断面投影図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００５】
上記構成において、上述した送風機組立体１００は、以下のように動作する。ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。空気流は、これが口１１２に入る際に絞られ、そして口１１２の出口１４４のところで更に絞られる。この絞りにより、システム中に圧力が生じる。このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【０００６】
【特許文献１】特開２０１０−０７７９６９号公報
【発明の概要】
【発明が解決しようとする課題】
【０００７】
このような従来の涼風機では、円環形状に閉じたノズルのために、ここから吹出された気流も閉じた円環状に高速の風速分布を持つ。風速分布は、広がったものとすることで広範囲で涼風感を得ることが出来るが、従来の構成でノズルの吹出し方向を広げる場合には、環内の空気が円環形状吹出し口の背面から誘引されて前方へ送られる構成において誘引される空気の量には限りがあるので、環内部が負圧になり、負圧力に逆らうような広い風速分布とすることができないため、広範囲で涼風感を得ることができないという課題があった（後述する図４）。
【０００８】
そこで本発明は、上記従来の課題を解決するものであり、広範囲で涼風感を得ることができる送風装置を提供することを目的とする。
【課題を解決するための手段】
【０００９】
そして、この目的を達成するために、本発明は、羽根車と電動機を内包する箱体の高圧空気発生部と、高圧空気を吹出して一方へ気流を発生するスリットノズルを有する複数の吹出し部と、前記吹出し部と前記高圧空気発生部の通風路としての接続部を備えた送風装置であって、任意の軸と、これに垂直な平面上に、それぞれの吹出し部のスリットノズルが前記軸との間に空間を設けて囲むように環状に配置され、スリットノズル吹出し方向が前記軸に対して外向きであることを特徴とする送風装置であって、前記吹出し部は、任意の軸と、これに垂直な平面上に、複数のスリットノズルが前記軸との間に空間を設けて囲むように環状に配置され、スリットノズル吹出し方向が前記軸に対して外向きであることを特徴とする送風装置としたものであり、これにより所期の目的を達成するものである。
【発明の効果】
【００１０】
本発明によれば、羽根車を内包することで接触による不安感をなくし、適切なノズル構成により広範囲で涼風感を得ることができて快適性を向上できる。
【図面の簡単な説明】
【００１１】
【図１】本発明の実施の形態１の送風装置の下面から見た斜視図
【図２】同送風装置の上面から見た斜視図
【図３】同送風装置の断面を示す構成図
【図４】（ａ）閉じた環状スリットノズルの気流を示す概略上面図、（ｂ）閉じた環状スリットノズルの気流を示す概略側面図
【図５】（ａ）間隔を空けた環状配置スリットノズルの気流を示す概略上面図、（ｂ）間隔を空けた環状配置スリットノズルの気流を示す概略側面図
【図６】本発明の実施の形態２の送風装置の下面から見た斜視図
【図７】同送風装置の上面から見た斜視図
【図８】本発明の実施の形態３の送風装置の正面から見た斜視図
【図９】同送風装置の背面から見た斜視図
【図１０】従来技術の一例を示す概略図
【図１１】従来技術の一例を示す側断面図
【発明を実施するための形態】
【００１２】
本発明の請求項１記載の送風装置は、羽根車と電動機を内包する箱体の高圧空気発生部と、高圧空気を吹出して一方へ気流を発生するスリットノズルを有する複数の吹出し部と、前記吹出し部と前記高圧空気発生部の通風路としての接続部を備えた送風装置であって、任意の軸と、これに垂直な平面上に、それぞれの吹出し部のスリットノズルが前記軸との間に空間を設けて囲むように環状に間隔を空けて配置され、スリットノズル吹出し方向が前記軸に対して外向きであることを特徴とする送風装置である。
【００１３】
これにより、スリットノズルから送風することで羽根車を内包して接触による不安感をなくす事ができ、環状の閉じたスリットでなく、複数のスリットノズルで間隔を空けた環状の配置とすることで、円環形状吹出し口の背面からだけでなく、環状配置の隙間を通って周方向からの空気の供給がなされ、環内部の負圧力を弱め、気流分布を広げて、広範囲で涼風感を得ることができる。
【００１４】
また、スリットノズルが、軸に対して半径方向に平行に並ぶ２列のスリットノズルであり、向かい合わせたスリットノズルとすることで、スリットノズル間の誘引力が大きくなるために、スリットノズルからの吹出し量に対する涼風の受風量（スリットノズルから一定距離離れた面の通過風量）が大きくなり、効率よく受風感を得ることが出来る。
【００１５】
また、羽根車と電動機を内包する箱体の高圧空気発生部と、高圧空気を吹出して一方へ気流を発生する環状スリットノズルを有する複数の吹出し部と、前記吹出し部と前記高圧空気発生部の通風路としての接続部を備えた送風装置であって、任意の軸と、これに垂直な平面上に、それぞれの吹出し部の環状スリットノズルが前記軸との間に空間を設けて囲むように環状に間隔を空けて配置され、環状スリットノズル吹出し方向が前記軸に対して外向きであることを特徴とするもので、個々の環状スリットノズルでは、スリットノズルの向かい合わせ効果でスリットノズルからの吹出し量に対する涼風の受風量を大きくし効率よく受風感を得る構成とし、これらを間隔を空けた環状の配置とすることで、環状配置の隙間を通って周方向からの空気の供給がなされ、環内部の負圧力を弱め、気流分布を広げて、広範囲で涼風感を得ることができる。
【００１６】
また、スリットノズルを環状に配置した、環内に高圧空気発生部を備え、前記高圧空気発生部を中心として放射状に接続部を備えたことで、重量のある高圧空気発生部を中心とし、スリットノズルの重量が周方向に均等にかかる構成となるので、高圧空気発生部を取付け具を付加して保持させることで、天井に取り付け用の送風装置として、吊り下げなどの簡単な取付でも重量バランスの良い送風装置とすることが出来る。
【００１７】
以下、本発明の実施の形態について図面を参照しながら説明する。
【００１８】
（実施の形態１）
図１に本発明の実施の形態１の送風装置の下面から見た斜視図、図２に同送風装置の上面から見た斜視図、図３に同送風装置の断面を示す構成図を示す。
【００１９】
まず、実施の形態１の構成について説明する。
【００２０】
本発明の実施の形態１の送風装置１は、羽根車２と電動機３を内包する箱体の高圧空気発生部４に設けた取付け具５を介して天井に取付けられて下方へ気流を発生する天井取付けタイプの送風装置１であり、空気を吹出す２列の平行なスリットノズル６を有する６つの吹出し部７を、平行なスリットノズル６が半径方向に並ぶよう環状に間隔を空けて配置し、この環内に高圧空気発生部４を備えている。
【００２１】
ここで、吹出し部７と高圧空気発生部４は通風路としての接続部８により放射状に連結されている。また、吹出し部７は、羽根車２の中心を通る垂直軸９と、これに垂直な基準平面１０の面上に、それぞれのスリットノズル６が垂直軸９との間に空間を設けて配置され、さらにスリットノズル６の吹出し方向１１が垂直軸９に対して外向きとなっている。
【００２２】
これにより、羽根車を内包することで接触による不安感をなくし、広範囲で涼風感を得ることができて快適性を向上できるものである。
【００２３】
次に、実施の形態１の動作を示す。
【００２４】
電動機３が駆動して羽根車２を回転させることで、高圧空気発生部４によって、吸込み口１２から吸込まれた空気が昇圧されて、接続部８の内部を通って吹出し部７へ向かいスリットノズル６において高圧空気を高速噴流に変換して空間に放出する。
【００２５】
ここで、図４は閉じた環状スリットノズルの気流を示す概略図、図５は間隔を空けた環状配置スリットノズルの気流を示す概略図を示しており、各（ｂ）図のＡ面の上面図が（ａ）図である。
【００２６】
スリットノズル６から送風することで羽根車２を内包して接触による不安感をなくす事ができ、複数のスリットノズル６で間隔を空けた環状の配置とすることで、環内部１３が負圧になり、負圧力に逆らうような広い風速分布とすることができない図４に示す閉じた大径環状スリットノズル１４の気流と比較して、図５に示す本構成の間隔を空けた環状配置スリットノズル１５の気流は、円環形状吹出し口の背面からだけでなく、環状配置の隙間１６を通って周方向からの空気の供給がなされ（図の太線矢印）、背面からの気流を中央に押しやるため、環内部１３の負圧力を弱めるとともに下向き気流の風量も増えるため、気流分布を広げて、広範囲で涼風感を得ることができる。
【００２７】
また、平行に向かい合わせたスリットノズル６とすることで、スリットノズル間の誘引力が大きくなるために、スリットノズル６からの吹出し量に対する涼風の受風量（スリットノズルから一定距離離れた面の通過風量）が大きくなり、効率よく受風感を得ることが出来る。
【００２８】
また、スリットノズルを環状に配置し、環内に高圧空気発生部を備え、重量のある高圧空気発生部を中心とし、スリットノズルの重量が周方向に均等にかかる構成となるので、高圧空気発生部を取付け具により天井に保持することで、天井取り付け用の送風装置として、吊り下げなどの簡単な取付けでも重量バランスの良い送風装置とすることが出来る。
【００２９】
（実施の形態２）
実施の形態２の構成について説明する。
【００３０】
実施の形態２において、実施の形態１と同様の構成要素については同一の符号を付し、その詳細な説明は省略する。
【００３１】
図６に本発明の実施の形態２の送風装置の下面から見た斜視図、図７に同送風装置の上面から見た斜視図を示す構成図を示す。
【００３２】
実施の形態２において、送風装置１は、空気を吹出す環状スリットノズル１７を有する６つの吹出し部７を環状に配置し、この環内に高圧空気発生部４を備えており、吹出し部７は、羽根車２の中心を通る垂直軸９と、これに垂直な基準平面（図示せず）の面上に、それぞれの環状スリットノズル１７が垂直軸９との間に空間を設けて配置され、さらに環状スリットノズル１７の吹出し方向１１が垂直軸９に対して外向きとなっている。
【００３３】
これにより、実施の形態１で述べたとおり、平行に向かい合わせたスリットノズルによりスリットノズル間の誘引力が大きくなるために、スリットノズルからの吹出し量に対する涼風の受風量を増加できるが、個々の環状スリットノズル１７で半径方向にも周方向にも向かい合わせた閉じた環形状とすることによる効果でスリットノズルからの吹出し量に対する涼風の受風量を大きくし効率よく受風感を得る構成とし、さらにこれらを間隔を空けた環状の配置とすることで、環状配置の隙間を通って周方向からの空気の供給がなされ、環内部の負圧力を弱め、気流分布を広げて、広範囲で涼風感を得ることができる。
【００３４】
（実施の形態３）
実施の形態３の構成について説明する。
【００３５】
実施の形態３において、実施の形態１および実施の形態２と同様の構成要素については同一の符号を付し、その詳細な説明は省略する。
【００３６】
図８に本発明の実施の形態３の送風装置の正面から見た斜視図、図９に同送風装置の背面から見た斜視図を示す構成図を示す。
【００３７】
実施の形態３の送風装置２１は、箱体の高圧空気発生部４が台座を兼ねる床置きタイプの送風装置２１であり、高圧空気発生部４から、通風路としての第一接続部２２、６又に分かれた第二接続部２３を介して、任意の水平軸２４と、これに垂直な平面上に、それぞれの吹出し部２５のスリットノズル２６が水平軸２４との間に空間を設けて囲むように環状に配置され、スリットノズル吹出し方向が水平軸２４に対して外向きであることを特徴とするものである。
【００３８】
次に、実施の形態３の動作を示す。
【００３９】
高圧空気発生部４によって、吸込み口１２から吸込まれた空気が昇圧されて、第一接続部２２、第二接続部２３の内部を通って吹出し部２５へ向かいスリットノズル２６において高圧空気を高速噴流に変換して空間に放出する。
【００４０】
これにより、羽根車を内包することで接触による不安感をなくし、広範囲で涼風感を得ることができて快適性を向上できるものである。
【００４１】
ここで、スリットノズル２６から送風することで羽根車（図示せず）を内包して接触による不安感をなくす事ができ、複数のスリットノズル２６で間隔を空けた環状の配置とすることで、間隔を空けた環状配置スリットノズルの気流は、円環形状吹出し口の背面からだけでなく、環状配置の隙間２７を通って周方向からの空気の供給がなされ、環内部２８の負圧力を弱め、気流分布を広げて、広範囲で涼風感を得ることができる。
【産業上の利用可能性】
【００４２】
羽根車を内包することで接触による不安感をなくし、適切なノズル構成により広範囲で涼風感を得ることができて快適性を向上できるため、居室内の天井や壁に設置され、直接風による体感温度の減少や室内の空気の循環に使用される各種送風機器等として有用である。
【符号の説明】
【００４３】
１      送風装置
２      羽根車
３      電動機
４      高圧空気発生部
５      取付け具
６      スリットノズル
７      吹出し部
８      接続部
９      垂直軸
１０    基準平面
１１    吹出し方向
１２    吸込み口
１３    環内部
１４    大径環状スリットノズル
１５    間隔を空けた環状配置スリットノズル
１６    隙間
１７    環状スリットノズル
２１    送風装置
２２    第一接続部
２３    第二接続部
２４    水平軸
２５    吹出し部
２６    スリットノズル
２７    隙間
２８    環内部
１００  送風機組立体
１０１  環状ノズル
１２０  選択ボタン
１２２  モータ
１２６  モータハウジング
１３０  インペラ
１３２  ディフューザ
１３４  入口
１３６  出口
１４４  出口
１４８  ガイド部分
【図１】
0005838296.tif 000002
【図２】
0005838296.tif 000003
【図３】
0005838296.tif 000004
【図４】
0005838296.tif 000005
【図５】
0005838296.tif 000006
【図６】
0005838296.tif 000007
【図７】
0005838296.tif 000008
【図８】
0005838296.tif 000009
【図９】
0005838296.tif 000010
【図１０】
0005838296.tif 000011
【図１１】
0005838296.tif 000012